(57)【要約】【課題】利用者にとって決済に使用する最適なＩＣカードを適切に、且つ迅速に選択できるようにした自動販売機を提供する。【解決手段】この券売機１０は、電子決済サービス情報をＩＣカード５６から読み取り、電子決済サービス情報に係る残高を更新するリーダライタ５と、電子マネー管理センタ５２との間で電子決済サービス情報の授受を行なう通信部１と、購入する商品毎のメニュースイッチを有する選択手段７と、購入価格を表示する表示部、並びに、決済に使用するＩＣカードの選択を行うための操作ボタンを有する操作表示部２と、選択手段７により選択された乗車券を利用者に提供する発券部６と、リーダライタ５により読み取られた電子決済サービス情報に基づいて電子マネー管理センタ５２との間で決済を行い、発券部６を制御する制御部３と、を備えて構成されている。【選択図】図１
2008269328.tif 000002
【特許請求の範囲】
【請求項１】
取引上の決済に複数種類のＩＣカードを利用可能な自動販売機であって、
前記ＩＣカードに記憶されている電子決済サービス情報を前記ＩＣカードから読み取り、該電子決済サービス情報に係る残高を更新するリーダライタと、
前記電子決済サービス情報に係る入出金を管理する電子マネー管理センタとの間で前記電子決済サービス情報の授受を行なう通信部と、
購入する商品毎のメニュースイッチを有する選択手段と、
各ＩＣカードを利用した場合の購入価格を表示する表示部、並びに、決済に使用するＩＣカードの選択を行うための操作ボタンを有する操作表示部と、
前記選択手段により選択された商品を利用者に提供する商品処理部と、
前記決済に使用するＩＣカードに記憶された電子決済サービス情報を前記リーダライタにより読み取り、読み取られた電子決済サービス情報に基づいて前記電子マネー管理センタとの間で決済を行い、前記商品処理部を制御する制御部と、を備え、
前記制御部は、前記選択手段により１又は複数の商品が選択されると、前記操作表示部に、使用可能なＩＣカード毎に該商品の購入価格を表示すると共に、該表示価格の低い順に表示するように制御することを特徴とする自動販売機。
【請求項２】
前記使用可能なＩＣカード毎に点灯する点灯表示部を備え、前記制御部は、前記選択手段により１又は複数の商品が選択されると、前記点灯表示部の点灯周期を前記商品の購入価格に応じて変化させることを特徴とする請求項１に記載の自動販売機。
【請求項３】
前記制御部は、予め各ＩＣカードの付加サービス情報を記憶しておき、前記操作表示部に表示された前記使用可能なＩＣカードに対応する前記操作ボタンが押された時に、該ＩＣカードに係る前記付加サービス情報を前記操作表示部に表示することを特徴とする請求項１又は２に記載の自動販売機。
【請求項４】
前記制御部は、前記付加サービス情報を有するか否かを示す事項を前記ＩＣカード毎に前記操作表示部に表示することを特徴とする請求項１乃至３の何れか一項に記載の自動販売機。
【請求項５】
金融機関の貯蓄口座を管理する銀行管理センタと、クレジット決済と与信情報を管理するクレジット管理センタと、取引上の決済をコンピュータ上で実現するための電子決済サービス情報に係る入出金を管理する電子マネー管理センタと、ＩＣカードに記憶されている電子決済サービス情報の残高に金額を加算するチャージ端末と、請求項１乃至４の何れか一項に記載の自動販売機と、前記銀行管理センタ、クレジット管理センタ及び電子マネー管理センタと前記自動販売機及びチャージ端末間を接続するネットワークと、を備えたことを特徴とする電子マネーシステム。
【請求項６】
取引上の決済に係る処理をコンピュータ上で実現する電子決済サービス情報を夫々記憶した複数種類のＩＣカードを利用した商品の販売を可能とする自動販売機の決済方法であって、
前記電子決済サービス情報を前記ＩＣカードから読み取り、該電子決済サービス情報に係る残高を更新するリーダライタと、
前記電子決済サービス情報に係る入出金を管理する電子マネー管理センタとの間で前記電子決済サービス情報の授受を行なう通信部と、
購入する商品毎のメニュースイッチを有する選択手段と、
各ＩＣカードを利用した場合の購入価格を表示する表示部、並びに、決済に使用するＩＣカードの選択を行うための操作ボタンを有する操作表示部と、
前記選択手段により選択された商品を利用者に提供する商品処理部と、
前記決済に使用するＩＣカードに記憶された電子決済サービス情報を前記リーダライタにより読み取り、読み取られた電子決済サービス情報に基づいて前記電子マネー管理センタとの間で決済を行い、前記商品処理部を制御する制御部と、を備え、
前記制御部は、前記選択手段により１又は複数の商品が選択されると、前記操作表示部に、使用可能なＩＣカード毎に該商品の購入価格を表示すると共に、該表示価格の低い順に表示するように制御することを特徴とする自動販売機の決済方法。
【請求項７】
前記使用可能なＩＣカード毎に点灯する点灯表示部を備え、前記制御部は、前記選択手段により１又は複数の商品が選択されると、前記点灯表示部の点灯周期を前記商品の購入価格に応じて変化させることを特徴とする請求項６に記載の自動販売機の決済方法。
【請求項８】
前記制御部は、予め各ＩＣカードの付加サービス情報を記憶しておき、前記操作表示部に表示された前記使用可能なＩＣカードに対応する前記操作ボタンが押された時に、該ＩＣカードに係る前記付加サービス情報を前記操作表示部に表示することを特徴とする請求項６又は７に記載の自動販売機の決済方法。
【請求項９】
前記制御部は、前記付加サービス情報を有するか否かを示す事項を前記ＩＣカード毎に前記操作表示部に表示することを特徴とする請求項６乃至８の何れか一項に記載の自動販売機の決済方法。
【発明の詳細な説明】
【技術分野】
【０００１】
本発明は、自動販売機、電子マネーシステム、及び自動販売機の決済方法に関し、さらに詳しくは、電子決済サービス情報を記憶している複数種類のＩＣカードを利用して商品の販売を可能とした自動販売機の決済方法に関するものである。
【背景技術】
【０００２】
近年、ＩＣカード等に電子決済サービス情報（ＩＣカードを特定するＩＤと電子マネー残高）を記憶しておき、ＩＣカード等を使用した決済により物品の購入やサービスの提供を受けることができるようにしたプリペイド型電子マネーシステムが導入されている。このようなプリペイド型電子マネーシステムでは、例えば買い物をする前にＩＣカード等に電子マネー残高が所定の金額に達するようにチャージしておき、商品購入時に購入代金をＩＣカード等に記憶された電子マネー残高から減額する方法がとられている。また他の例として、Ｓｕｉｃａ（登録商標）等のＩＣカード型の定期券の場合、乗り越し時に精算処理をしないで改札を通過できるように、予め電子決済サービス情報を定期券に記憶しておくシステムが存在する。
【０００３】
また、鉄道等の乗車券を販売する自動券売機における決済には、現金投入後に商品選択を行なう後押し方式と、ＩＣカードによる購入のように商品選択後に決済を行なう先押し方式がある。ＩＣカードを利用した券売機での決済では、上記の先押し方式が一般的に採用されており、商品選択後、選択終了操作として決済ボタンを押してから、ＩＣカードに記憶されている電子決済サービス情報を券売機により読み取らせている。即ち、先押し方式の場合、商品を選択中に選択によって更新された合計金額を表示することで、ユーザの操作を助けている。このときの合計金額表示は、電子決済サービス情報の合計額を表示することになる。
【０００４】
また、特許文献１には、商品を選択するための商品選択手段と、選択された商品を搬出するための商品搬出手段と、非接触媒体と情報を送受信する通信手段と、コラム毎に収納された商品を登録するための商品設定手段と、前記商品設定手段により登録された内容を記憶する商品記憶手段と、砂糖の分量などの各種設定を行うための各種設定手段と、商品選択手段と商品搬出手段と通信手段と商品設定手段と商品記憶手段と各種設定手段とに接続された演算制御部を備え、非接触媒体をかざすだけで、各種設定をすることなく前回購入した商品を購入することができる自動販売機について開示されている。
【特許文献１】特開２００７−１１９２２公報
【発明の開示】
【発明が解決しようとする課題】
【０００５】
しかしながら、券売機が複数種類のＩＣカード（例えば、Ｓｕｉｃａ、Ｅｄｙ、ｉＤ等、何れも登録商標）に対応可能であり、しかも、ＩＣカード毎に商品単価が異なるように設定されている場合、ＩＣカードに記憶された電子決済サービス情報を読み取る前に、商品の合計金額を表示することができない事態が発生する（決済するＩＣカードが未定のため）。これに対応するためには、券売機で使用可能なＩＣカード毎の合計金額を全て表示すればよいが、使用可能なＩＣカードの種類が増加した場合に、全てのＩＣカードに対応した合計金額を一括して表示するとすれば表示内容が煩雑となり、利用者にとって最も安価に決済できるＩＣカードがどれなのか、分かりづらいといった問題がある。例えば、飲料メーカーであるＳ社とＩＣカードＡを発行するＡ社とがタイアップすることにより、ＩＣカードＡを利用してＳ社の飲料を購入すると１割引の特典を受けられる場合に、利用者がＩＣカードＡとＩＣカードＢを所持しているとしても、表示内容が分かりにくいために上記特典に気づくことができずにＩＣカードＢを利用して決済した結果、上記特典が受けられないといった事態が発生する。このときＡ社もせっかくタイアップによりカードＡの利用促進を目論んでいたにもかかわらず企画倒れとなってしまう。
【０００６】
本発明は、かかる課題に鑑みてなされたものであり、種類の異なる複数のＩＣカードを利用した場合の購入価格を表示する表示部、及び、決済に使用するＩＣカードの選択を行うための操作ボタンを有する操作表示部を備え、選択手段により１又は複数の商品が選択されると、操作表示部に、使用可能なＩＣカード毎に商品の購入価格を表示すると共に、表示価格の低い順に表示することにより、利用者にとって決済に使用する最適なＩＣカードを適切に、且つ迅速に選択できるようにした自動販売機を提供することを目的とする。
【課題を解決するための手段】
【０００７】
本発明はかかる課題を解決するために、請求項１は、取引上の決済に複数種類のＩＣカードを利用可能な自動販売機であって、前記ＩＣカードに記憶されている電子決済サービス情報を前記ＩＣカードから読み取り、該電子決済サービス情報に係る残高を更新するリーダライタと、前記電子決済サービス情報に係る入出金を管理する電子マネー管理センタとの間で前記電子決済サービス情報の授受を行なう通信部と、購入する商品毎のメニュースイッチを有する選択手段と、各ＩＣカードを利用した場合の購入価格を表示する表示部、並びに、決済に使用するＩＣカードの選択を行うための操作ボタンを有する操作表示部と、前記選択手段により選択された商品を利用者に提供する商品処理部と、前記決済に使用するＩＣカードに記憶された電子決済サービス情報を前記リーダライタにより読み取り、読み取られた電子決済サービス情報に基づいて前記電子マネー管理センタとの間で決済を行い、前記商品処理部を制御する制御部と、を備え、前記制御部は、前記選択手段により１又は複数の商品が選択されると、前記操作表示部に、使用可能なＩＣカード毎に該商品の購入価格を表示すると共に、該表示価格の低い順に表示するように制御することを特徴とする。
【０００８】
本発明の自動販売機は、電子決済サービス情報を夫々記憶した複数種類のＩＣカードを利用した商品の販売を可能とするものである。従って、ＩＣカードは非接触により自動販売機に備えられたリーダライタと無線によりデータの授受を行なう。また、自動販売機は、電子決済サービス情報の決済処理を行うために、外部の電子マネー管理センタと通信可能な構成を備えている。その他、自動販売機の基本的な機能と、商品を決済するために、各ＩＣカードを利用した場合の購入価格を表示する表示部、並びに、決済に使用するＩＣカードの選択を行うための操作ボタンを有する操作表示部を備えている。そして、制御部は、選択手段により１又は複数の商品が選択されると、操作表示部に、使用可能なＩＣカード毎に商品の購入価格を表示すると共に、表示価格の低い順に表示するものである。これにより、利用者にとって決済に使用する最適なＩＣカードを適切に、且つ迅速に選択することができる。
【０００９】
請求項２は、前記使用可能なＩＣカード毎に点灯する点灯表示部を備え、前記制御部は、前記選択手段により１又は複数の商品が選択されると、前記点灯表示部の点灯周期を前記商品の購入価格に応じて変化させることを特徴とする。
本発明の自動販売機は、操作表示部以外に、使用可能なＩＣカード毎に点灯する点灯表示部を更に備えている。点灯表示部は例えばＬＥＤ等で構成し、その点灯周期を商品の購入価格に応じて変化させるものである。これにより、どのＩＣカードが最も安価に商品を購入できるかが、一目瞭然に判断することができる。
【００１０】
請求項３は、前記制御部は、予め各ＩＣカードの付加サービス情報を記憶しておき、前記操作表示部に表示された前記使用可能なＩＣカードに対応する前記操作ボタンが押された時に、該ＩＣカードに係る前記付加サービス情報を前記操作表示部に表示することを特徴とする。
ＩＣカードには、特典としてＩＣカードごとに利用を促進するために、付加サービスが設定される。このような付加サービスの情報を予め記憶しておき、任意にその内容を確認できるものである。即ち、操作表示部に表示された使用可能なＩＣカードに対応する操作ボタンが押された時に、ＩＣカードに係る付加サービス情報を表示するものである。これにより、決済に使用するＩＣカードの選択基準を商品の購入価格だけでなく、更に拡げることができる。
【００１１】
請求項４は、前記制御部は、前記付加サービス情報を有するか否かを示す事項を前記ＩＣカード毎に前記操作表示部に表示することを特徴とする。
ＩＣカードには、付加サービスが付与されているものと、付加サービスが付与されていないものがある。従って、操作表示部に使用可能なＩＣカードを表示するときに、そのことが明確に分かるように、付加サービス情報が付与されているか否かを示す事項をＩＣカード毎に表示するものである。これにより、表示のあるＩＣカードの付加サービス情報の内容を確認することができる。
【００１２】
請求項５は、金融機関の貯蓄口座を管理する銀行管理センタと、クレジット決済と与信情報を管理するクレジット管理センタと、取引上の決済をコンピュータ上で実現するための電子決済サービス情報に係る入出金を管理する電子マネー管理センタと、ＩＣカードに記憶されている電子決済サービス情報の残高に金額を加算するチャージ端末と、請求項１乃至４の何れか一項に記載の自動販売機と、前記銀行管理センタ、クレジット管理センタ及び電子マネー管理センタと前記自動販売機及びチャージ端末間を接続するネットワークと、を備えたことを特徴とする。
本発明の電子マネーシステムは、従来のＩＣカードによる電子マネーシステムと基本的な構成は同じである。異なる点は、店舗等に設置された特定の支払端末に替わって店舗に限らず不特定な場所に設置された自動販売機を対象機器としている点と、従来のＩＣカードに替わって、電子決済サービス情報を夫々記憶した複数種類のＩＣカードにより自動販売機から商品を購入する点である。また、チャージ端末は自動販売機に備えても良いが、所定の場所に設置してＩＣカードから行うようにしても良い。これにより、従来の電子マネーシステムの構成を利用して自動販売機を介してＩＣカードにより商品を購入することができる。
【００１３】
請求項６は、取引上の決済に係る処理をコンピュータ上で実現する電子決済サービス情報を夫々記憶した複数種類のＩＣカードを利用した商品の販売を可能とする自動販売機の決済方法であって、前記電子決済サービス情報を前記ＩＣカードから読み取り、該電子決済サービス情報に係る残高を更新するリーダライタと、前記電子決済サービス情報に係る入出金を管理する電子マネー管理センタとの間で前記電子決済サービス情報の授受を行なう通信部と、購入する商品毎のメニュースイッチを有する選択手段と、各ＩＣカードを利用した場合の購入価格を表示する表示部、並びに、決済に使用するＩＣカードの選択を行うための操作ボタンを有する操作表示部と、前記選択手段により選択された商品を利用者に提供する商品処理部と、前記決済に使用するＩＣカードに記憶された電子決済サービス情報を前記リーダライタにより読み取り、読み取られた電子決済サービス情報に基づいて前記電子マネー管理センタとの間で決済を行い、前記商品処理部を制御する制御部と、を備え、前記制御部は、前記選択手段により１又は複数の商品が選択されると、前記操作表示部に、使用可能なＩＣカード毎に該商品の購入価格を表示すると共に、該表示価格の低い順に表示するように制御することを特徴とする。
本発明は請求項１と同様の作用効果を奏する。
【００１４】
請求項７は、前記使用可能なＩＣカード毎に点灯する点灯表示部を備え、前記制御部は、前記選択手段により１又は複数の商品が選択されると、前記点灯表示部の点灯周期を前記商品の購入価格に応じて変化させることを特徴とする。
本発明は請求項２と同様の作用効果を奏する。
【００１５】
請求項８は、前記制御部は、予め各ＩＣカードの付加サービス情報を記憶しておき、前記操作表示部に表示された前記使用可能なＩＣカードに対応する前記操作ボタンが押された時に、該ＩＣカードに係る前記付加サービス情報を前記操作表示部に表示することを特徴とする。
本発明は請求項３と同様の作用効果を奏する。
【００１６】
請求項９は、前記制御部は、前記付加サービス情報を有するか否かを示す事項を前記ＩＣカード毎に前記操作表示部に表示することを特徴とする。
本発明は請求項４と同様の作用効果を奏する。
【発明の効果】
【００１７】
本発明によれば、電子決済サービス情報をＩＣカードから読み取り、この電子決済サービス情報に係る残高を更新するリーダライタと、電子決済サービス情報に係る入出金を管理する電子マネー管理センタとの間で電子決済サービス情報の授受を行なう通信部と、購入する商品毎のメニュースイッチを有する選択手段と、各ＩＣカードを利用した場合の購入価格を表示する表示部、並びに、決済に使用するＩＣカードの選択を行うための操作ボタンを有する操作表示部と、選択手段により選択された商品を利用者に提供する商品処理部と、決済に使用するＩＣカードに記憶された電子決済サービス情報をリーダライタにより読み取り、読み取られた電子決済サービス情報に基づいて電子マネー管理センタとの間で決済を行い、商品処理部を制御する制御部と、を備え、制御部は、選択手段により１又は複数の商品が選択されると、操作表示部に、使用可能なＩＣカード毎に商品の購入価格を表示すると共に、表示価格の低い順に表示するように制御するので、利用者にとって決済に使用する最適なＩＣカードを適切に、且つ迅速に選択することができる。
【発明を実施するための最良の形態】
【００１８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る自動販売機（券売機）の構成ブロック図である。この券売機１０は、取引上の決済に係る処理をコンピュータ上で実現する電子決済サービス情報を夫々記憶した複数種類のＩＣカードを利用した商品の販売を可能とする券売機であって、電子決済サービス情報をＩＣカード５６から読み取り、電子決済サービス情報に係る残高を更新するリーダライタ（Ｒ／Ｗ）５と、電子決済サービス情報に係る入出金を管理する電子マネー管理センタ５２との間で電子決済サービス情報の授受を行なう通信部１と、購入する商品（食券）毎のメニュースイッチを有する選択手段７と、各ＩＣカードを利用した場合の購入価格を表示する表示部、並びに、決済に使用するＩＣカードの選択を行うための操作ボタンを有する操作表示部２と、選択手段７により選択された食券を利用者に提供する発券部（商品処理部）６と、決済に使用するＩＣカードに記憶された電子決済サービス情報をリーダライタ５により読み取り、読み取られた電子決済サービス情報に基づいて電子マネー管理センタ５２との間で決済を行い、発券部６を制御する制御部３と、を備えて構成されている。尚、現金により食券の決済を行なう金銭処理部４を併せて備えても良い。
【００１９】
即ち、本実施形態の券売機１０は、電子決済サービス情報を夫々記憶した複数種類のＩＣカード５６を利用した商品の販売を可能とするものである。従って、ＩＣカード５６は非接触により券売機１０に備えられたリーダライタ５と無線によりデータの授受を行なう。また、券売機１０は、電子決済サービス情報の決済処理を行うために、外部の電子マネー管理センタ５２と通信可能な構成を備えている。その他、券売機１０の基本的な機能と、商品を決済するために、各ＩＣカードを利用した場合の購入価格を表示する表示部、並びに、決済に使用するＩＣカードの選択を行うための操作ボタンを有する操作表示部２を備えている。そして、制御部３は、選択手段７により１又は複数の商品が選択されると、操作表示部２に、使用可能なＩＣカード毎に商品の購入価格を表示すると共に、表示価格の低い順に表示する。これにより、利用者にとって決済に使用する最適なＩＣカードを適切に、且つ迅速に選択することができる。
【００２０】
図２は、本発明の電子マネーシステムの一例を示す図である。この電子マネーシステム７０は、金融機関の貯蓄口座を管理する銀行管理センタ５０と、クレジット決済と与信情報を管理するクレジット管理センタ５１と、取引上の決済をコンピュータ上で実現するための電子決済サービス情報に係る入出金を管理する電子マネー管理センタ５２と、ＩＣカードに記憶されている電子決済サービス情報の残高に金額を加算するチャージ端末５３と、図１に記載の券売機１０と、銀行管理センタ５０、クレジット管理センタ５１及び電子マネー管理センタ５２と券売機１０及びチャージ端末５３間を接続するネットワーク５８と、を備えて構成されている。尚、本実施形態では、券売機１０をネットワーク５８に接続する形態について説明するが、これに限らず、券売機１０の代わりに自動販売機を接続しても構わない。
本実施形態の電子マネーシステム７０は、従来のＩＣカードによる電子マネーシステムと基本的な構成は同じである。異なる点は、駅等に設置された支払端末に替わって店舗等に設置された券売機１０を対象機器としている点、従来のＩＣカードに替わって、電子決済サービス情報を夫々記憶した複数種類のＩＣカードにより券売機１０から食券等を購入する点である。また、チャージ端末は券売機１０に備えても良いが、所定の場所に設置してＩＣカードから行うようにしても良い。これにより、従来の電子マネーシステムの構成を利用して券売機１０を介してＩＣカードにより商品を購入することができる。
【００２１】
図３（ａ）は制御部３内のメモリに記憶したＩＣカード種別毎のメニュー価格テーブルを表す図である。縦軸にメニュー名（メニュー１〜３）、横軸にカード種別と現金を表す。この例に設定する価格によれば、メニュー１が選択されると、カードＡでは「５００円」、カードＢでは「４８０円」、カードＣでは「４８５円」、カードＤでは「５００円」、現金では「５００円」となる。また、メニュー２が選択されると、カードＡでは「４２０円」、カードＢでは「４５０円」、カードＣでは「４３６円」、カードＤでは「４５０円」、現金では「４５０円」となる。また、メニュー３が選択されると、カードＡでは「９０円」、カードＢでは「９０円」、カードＣでは「８７円」、カードＤでは「９０円」、現金では「９０円」となる。
図３（ｂ）は制御部３内のメモリに記憶した価格以外の付加サービス情報を表す図である。例えば、カードＡでは「なし」、カードＢでは「１０００円以上の購入でドリンクサービス」、カードＣでは「なし」、カードＤでは「決済月の翌々月３％ポイント還元」といった付加サービス情報が記憶されている。
【００２２】
図４は本発明の券売機の初期状態を示す図である。同じ構成要素には図１と同じ参照番号を付して説明する。この券売機１０は、電子決済サービス情報をＩＣカード５６から読み取り、電子決済サービス情報に係る残高を更新するリーダライタ５と、購入する商品毎のメニュー１〜メニュー１７を選択するためのスイッチ有する選択手段７と、各ＩＣカードを利用した場合の購入価格を表示する表示部、並びに、決済に使用するＩＣカードの選択を行うための操作ボタンを有する操作表示部２と、使用可能なＩＣカード毎に点灯する点灯表示部２０と、選択手段７により選択された食券を利用者に提供する発券部６と、硬貨投入口２２と紙幣挿入口２３を有する金銭処理部４と、を備えて構成されている。尚、操作表示部２は、使用可能なＩＣカードの種別と各ＩＣカード毎の合計金額を表示する操作ボタン表示エリア２ａと、各ＩＣカード毎に付加された付加サービスの内容を表示する付加サービス表示エリア２ｂにより構成されている。また、点灯表示部２０は、利用可能なＩＣカードの種別をＡ〜Ｄとし、点滅速度が速いものから順に決済価格が低いものとする。
本実施形態の券売機１０は、操作表示部２以外に、使用可能なカード毎に点灯する点灯表示部２０を更に備えている。点灯表示部２０は例えばＬＥＤ等で構成し、その点灯周期を商品の購入価格に応じて変化させるものである。これにより、どのカードが最も安価に商品を購入できるかが、一目瞭然に判断することができる。
【００２３】
また、カードの利用を促進するための特典として付加サービスが設定されることがある。このような付加サービスについての情報を予め記憶しておき、任意にその内容を確認できる。即ち、操作ボタン表示エリア２ａに表示された使用可能なカードに対応する操作ボタンが押された時に、カードに係る付加サービス情報を表示する。これにより、決済に使用するカードの選択基準を、商品の購入価格以外のアイテムについても拡げることができる。更に、カードには、付加サービスを付与されたものと、付与されていないものがある。従って、操作ボタン表示エリア２ａに使用可能なカードを表示するときに、付加サービスの有無が明確に分かるように、付加サービス情報を有するか否かを示すマークをカード毎に表示するものである。これにより、マークのあるカードの付加サービス情報の内容を確認することができる。
【００２４】
図５は本発明の券売機における動作を説明するフローチャートである。まず、選択手段７にあるメニュー１〜メニュー１７の何れかのスイッチが押されると（Ｓ１でＹＥＳ）、押されたスイッチのＬＥＤが点灯する（Ｓ２）（例えば、図４のメニュー１のスイッチ７Ａが押されるとＬＥＤ７ａが点灯する）。制御部３は、各ＩＣカード毎の価格を合計する（Ｓ３）。例えば、図３のテーブルから、メニュー１が選択された場合は、カードＡでは「５００円」、カードＢでは「４８０円」、カードＣでは「４８５円」、カードＤでは「５００円」、現金では「５００円」と操作表示部２の操作ボタン表示エリア２ａに表示される。そのとき、操作ボタン表示エリア２ａには、合計価格が低い順に表示される（Ｓ４）（図６参照）。それと同時に、点灯表示部２０は合計価格に応じて点灯周期を変化させる（Ｓ５）（図６参照）。
【００２５】
次に、複数のメニューを選択する場合は（Ｓ６でＮＯ）、ステップＳ１に戻って繰り返す。一方、ステップＳ６において、決済をする場合は（Ｓ６でＹＥＳ）決済に使用するＩＣカードを操作ボタン表示エリア２ａから選択する（Ｓ７）。選択の方法は、操作ボタン表示エリア２ａに表示された使用可能なＩＣカードの中から決済に使用する操作ボタンを押すことである。また、そのとき、押された操作ボタンに対応するＩＣカードに付加サービスが付与されている場合は、そのサービス内容が操作表示部２の付加サービス表示エリア２ｂに表示される。次に、決済に使用するＩＣカードをリーダライタ５に近接する（Ｓ８）。それにより、ＩＣカードに記憶されている電子決済サービス情報を読み取り、通信部１からネットワーク５８を介して電子マネー管理センタ５２と通信して決済処理を実行する（Ｓ９）。決済処理が正常に行われると発券部６から選択手段７のスイッチにより選択されたメニューの食券を発券部６から発券する（Ｓ１０）。
【００２６】
次に、本発明の券売機１０を使用した実施例について説明する。尚、説明を簡略化するために、券売機１０で使用可能なＩＣカード（以下、単にカードと呼ぶ）の種類をＡ〜Ｄとし、カードＢとカードＤには価格以外の付加サービスが付与されている。このとき、カードＡとカードＤを所持した利用者が券売機１０でメニュー１、メニュー２、メニュー３の順番に選択して決済した場合について説明する。
図６は利用者がメニュー１を選択した場合の券売機の状態を示す図である。同じ構成要素には図４と同じ参照番号を付して説明する。選択手段７にあるメニュー１のスイッチ７Ａが押されると、押されたスイッチ７ＡのＬＥＤ７ａが点灯する。制御部３は、各カード毎の価格を表示処理する。図３のテーブルから、メニュー１が選択された場合は、カードＡでは「５００円」、カードＢでは「４８０円」、カードＣでは「４８５円」、カードＤでは「５００円」、現金では「５００円」と操作表示部２の操作ボタン表示エリア２ａに表示する。そのとき、操作ボタン表示エリア２ａには、合計価格が低い順に表示される（即ち、カードＢ、Ｃ、Ａ、Ｄ、現金の順で表示される）。また、カードＢ、カードＤには付加サービスが付与されているので、カードＢには付加サービスマーク２４、カードＤには付加サービスマーク２５が併せて表示される。
それと同時に、点灯表示部２０は合計価格に応じて点灯周期が変化する。この例では、カードＢが最も低価格なので点灯表示部２０のＬＥＤ２０ｂが最も短い周期で点滅する。次に低価格なカードは、カードＣであるので、カードＢより少し長い周期でＬＥＤ２０ｃを点滅させ、カードＡ、ＤのＬＥＤ２０ａ、２０ｄは点灯させる。ここで、利用者がカードＢの付加サービスを確認するために、カードＢの操作ボタン２Ｂを押すと、付加サービス表示エリア２ｂに「１０００円以上の購入でドリンクサービス」といった付加サービスの内容が表示される。
【００２７】
図７は利用者が追加でメニュー２を選択した場合の券売機の状態を示す図である。同じ構成要素には図４と同じ参照番号を付して説明する。次に、利用者がメニューを追加するために、メニュー２のスイッチ７Ｂを押すと、押されたスイッチ７ＢのＬＥＤ７ｂが点灯する。制御部３は、各カード毎に価格を合計し、表示処理する。図３のテーブルから、メニュー２が選択された場合は、カードＡでは「４２０円」、カードＢでは「４５０円」、カードＣでは「４３６円」、カードＤでは「４５０円」、現金では「４５０円」であるので、カード毎にメニュー１とメニュー２の価格を合計する。即ち、カードＡでは「９２０円」、カードＢでは「９３０円」、カードＣでは「９２１円」、カードＤでは「９５０円」、現金では「９５０円」となり、操作ボタン表示エリア２ａには、合計価格が低い順に表示される（即ち、カードＡ、Ｃ、Ｂ、Ｄ、現金の順で表示される）。
それと同時に、点灯表示部２０は合計価格に応じて点灯周期が変化する。この例では、カードＡが最も低価格なので点灯表示部２０のＬＥＤ２０ａが最も短い周期で点滅する。次に低価格なカードは、カードＣであるので、カードＡより少し長い周期でＬＥＤ２０ｃを点滅させ、カードＢ、ＤのＬＥＤ２０ｂ、２０ｄは点灯させる。ここで、利用者がカードＡの付加サービスを確認するために、カードＡの操作ボタン２Ａを押すと、カードＡには付加サービスが付与されていないため、付加サービス表示エリア２ｂには何も表示されない。
【００２８】
図８は利用者が追加でメニュー３を選択した場合の券売機の状態を示す図である。同じ構成要素には図４と同じ参照番号を付して説明する。次に、利用者がメニューを追加するために、メニュー３のスイッチ７Ｃを押すと、押されたスイッチ７ＣのＬＥＤ７ｃが点灯する。制御部３は、カード毎に価格を合計し、表示処理する。図３のテーブルから、メニュー３が選択された場合は、カードＡでは「９０円」、カードＢでは「９０円」、カードＣでは「８７円」、カードＤでは「９０円」、現金では「９０円」であるので、カード毎にメニュー１とメニュー２とメニュー３の価格を合計する。即ち、カードＡでは「１０１０円」、カードＢでは「１０２０円」、カードＣでは「１００８円」、カードＤでは「１０４０円」、現金では「１０４０円」となり、操作ボタン表示エリア２ａには、合計価格が低い順に表示される（即ち、カードＣ、Ａ、Ｂ、Ｄ、現金の順で表示される）。
それと同時に、点灯表示部２０は合計価格に応じて点灯周期が変化する。この例では、カードＣが最も低価格なので点灯表示部２０のＬＥＤ２０ｃが最も短い周期で点滅する。次に低価格なカードは、カードＡであるので、カードＣより少し長い周期でＬＥＤ２０ａを点滅させ、カードＢ、ＤのＬＥＤ２０ｂ、２０ｄは点灯させる。ここで、利用者がカードＣの付加サービスを確認するために、カードＣの操作ボタン２Ｃを押すと、カードＣには付加サービスが付与されていないため、付加サービス表示エリア２ｂには何も表示されない。
【００２９】
図９は利用者が付加サービスの確認として操作表示部のカードＤを選択した場合の券売機の状態を示す図である。同じ構成要素には図４と同じ参照番号を付して説明する。次に、利用者がメニューの選択を終了して、利用者が所持するカードＤの付加サービスの内容を確認するために、カードＤの操作ボタン２Ｄを押すと、付加サービス表示エリア２ｂに「決済月の翌々月、３％ポイント還元」といった付加サービスの内容が表示される。ここで利用者は、カードＡとＤを所持しているが、カードＡで購入すれば１０１０円、カードＤで購入すれば１０４０円と最も購入価格が高いがポイントが付く。そこで、今日はポイントがほしいのでカードＤで購入すると決めると、カードＤをリーダライタ５に近接する。それにより、カードＤに記憶されている電子決済サービス情報を読み取り、通信部１からネットワーク５８を介して電子マネー管理センタ５２と通信して決済処理を実行する。決済処理が正常に行われると発券部６からスイッチ７Ａ、７Ｂ、７Ｃにより選択された食券が発券部６から発券される。
また、上述の実施形態において示した操作表示部２、選択手段７、および点灯表示部２０の全部または一部を、タッチパネル式ディスプレイ上にて形成するようにしておけば、プログラムを操作することで、表示内容やボタン配置の変更に柔軟な対応ができるようになる。
【図面の簡単な説明】
【００３０】
【図１】本発明の一実施形態に係る自動販売機（券売機）の構成ブロック図である。
【図２】本発明の電子マネーシステムの一例を示す図である。
【図３】（ａ）は制御部内のメモリに記憶したＩＣカード種別毎のメニュー価格テーブルを表す図、（ｂ）は制御部内のメモリに記憶した価格以外の付加サービス情報を表す図である。
【図４】本発明の券売機の初期状態を示す図である。
【図５】本発明の券売機における動作を説明するフローチャートである。
【図６】利用者がメニュー１を選択した場合の券売機の状態を示す図である。
【図７】利用者が追加でメニュー２を選択した場合の券売機の状態を示す図である。
【図８】利用者が追加でメニュー３を選択した場合の券売機の状態を示す図である。
【図９】利用者が付加サービスの確認として操作表示部のカードＤを選択した場合の券売機の状態を示す図である。
【符号の説明】
【００３１】
１  通信部、２  操作表示部、３  制御部、４  金銭処理部、５  リーダライタ、６  発券部、７  選択手段、１０  自動販売機、５０  銀行管理センタ、５１  クレジット管理センタ、５２  電子マネー管理センタ、５３  チャージ端末、５６  ＩＣカード、５７、５８  ネットワーク、７０  電子マネーシステム
【図１】
2008269328.tif 000003
【図２】
2008269328.tif 000004
【図３】
2008269328.tif 000005
【図４】
2008269328.tif 000006
【図５】
2008269328.tif 000007
【図６】
2008269328.tif 000008
【図７】
2008269328.tif 000009
【図８】
2008269328.tif 000010
【図９】
2008269328.tif 000011